(57)【要約】      （修正有）【課題】従来の送配電事業者が管理するシステムに手を加えることなく、それらのシステムの情報を利用した配電系統の監視を低コストに行う。【解決手段】複数種類の設備が互いに電線で接続された電線路上に形成され、第１類の設備が受電した電気を、第２類の設備を介して、需要家に配電する配電網の管理システムであって、第１類の設備を管理する第１の管理システムと、第２類の設備を管理する第２の管理システムと、を含む。第１の管理システムに、第１類の設備に係る管理情報を要求し、第１の管理システムは、要求された管理情報を保持している場合は、保持している当該管理情報を回答し、要求された管理情報を保持していない場合は、第２の管理システムに、要求された管理情報の生成に必要な情報を要求し、取得した情報に基づき、所定のルールに従い、要求された管理情報を生成し、応答する。【選択図】図１１
2017135902.tif 000002
【特許請求の範囲】
【請求項１】
電線路上に形成された配電網を管理する配電網管理システムであって、
前記電線路は、第１類の設備と第２類の設備を含む複数種類の設備が互いに電線で接続されており、
前記配電網は、前記第１類の設備が受電した電気を、前記第２類の設備を介して、需要家に配電するものであり、
前記配電網管理システムは、
前記第１類の設備を管理する第１の管理システムと、前記第２類の設備を管理する第２の管理システムと、を含み、
前記第１の管理システムに、前記第１類の、第１の設備に係る管理情報を要求し、
前記第１の管理システムは、
自システム内で、要求された管理情報を保持している場合は、保持している当該管理情報を回答し、
自システム内で、要求された管理情報を保持していない場合は、前記第２の管理システムに、要求された管理情報の生成に必要な情報を要求し、
前記第２の管理システムから取得した情報に基づき、所定のルールに従い、前記要求された管理情報を生成し、
生成した前記要求された管理情報を、応答する
ことを特徴とする配電網管理システム。
【請求項２】
請求項１記載の配電網管理システムにおいて、
前記第１の管理システムは、
前記配電網の構成情報を管理し、
前記配電網の構成情報に基づき、前記第２類の設備の内、前記「要求された管理情報の生成に必要な情報」の取得対象を特定し、
前記第２の管理システムに、前記第２類の、前記特定した設備に係る情報を要求し、
取得した前記第２類の、前記特定した設備に係る情報に基づき、前記所定のルールに従い、前記要求された管理情報を生成する
ことを特徴とする配電網管理システム。
【請求項３】
請求項２に記載の配電網管理システムにおいて、
前記第２の管理システムは、
要求された、前記第２類の、前記特定した設備に係る情報を取得して応答し、
要求された、前記第２類の、前記特定した設備に係る情報を取得できない場合は、予め定めた規則に従う暫定値を応答する
ことを特徴とする配電網管理システム。
【請求項４】
請求項１から３のいずれか一に記載の配電網管理システムにおいて、
前記配電網は、前記第１類の設備が配電する電気を前記第２類の設備へ配電する際に経由する第３類の設備を含み、
前記第１の管理システムは、
前記配電網の構成情報に基づき、前記「要求された管理情報の生成に必要な情報」を取得対象に、特定の前記第３類の設備が含まれる場合は、前記第３類の設備に係る情報を取得し、
取得した前記第２類の設備に係る情報と前記第３類の設備に係る情報とに基づき、前記要求された管理情報を生成する
ことを特徴とする配電網管理システム。
【請求項５】
請求項１に記載の配電網管理システムにおいて、
前記第１の管理システムと前記第２の管理システムが管理する前記管理情報は、単位期間単位で取得された値であり、
前記第１の管理システムは、前記要求が期間情報を含まない場合は、要求を受信した日時に係る前記管理情報を応答する
ことを特徴とする配電網管理システム。
【請求項６】
請求項１から４のいずれか一に記載の配電網管理システムにおいて、
前記第１の管理システムは、前記要求から、期間情報を抽出し、要求された期間について、前記要求された管理情報を生成する
ことを特徴とする配電網管理システム。
【請求項７】
請求項６に記載の配電網管理システムにおいて、
前記第１の管理システムと前記第２の管理システムが管理する前記管理情報は、単位期間単位で取得された値であり、
前記第１の管理システムは、前記期間情報が複数の単位期間を示す場合は、単位期間ごとに、前記要求された管理情報を生成し、
複数生成した前記要求された管理情報を演算し、
前記演算結果を応答する
ことを特徴とする配電網管理システム。
【請求項８】
請求項７に記載の配電網管理システムにおいて、
前記単位期間単位の前記管理情報は、
前記単位期間内の積算値である
ことを特徴とする配電網管理システム。
【請求項９】
請求項８または７に記載の配電網管理システムにおいて、
前記演算とは加算である
ことを特徴とする配電網管理システム。
【請求項１０】
第１類の設備と第２類の設備を含む複数種類の設備が互いに電線で接続される電線路上に形成された配電網を管理する配電網管理システムであって、前記第１類の設備を管理する第１の管理システムであって、
前記配電網は、前記第１類の設備が受電した電気を、前記第２類の設備を介して、需要家に配電するものであり、
前記第１の管理システムは、
前記配電網管理システムから要求された、前記第１類の、第１の設備に係る管理情報に対して、
自システム内で、要求された管理情報を保持している場合は、保持している当該管理情報を回答し、
自システム内で、要求された管理情報を保持していない場合は、前記第２の管理システムに、要求された管理情報の生成に必要な情報を要求し、
前記第２の管理システムから取得した情報に基づき、所定のルールに従い、前記要求された管理情報を生成し、
生成した前記要求された管理情報を、応答する
ことを特徴とする第１の管理システム。
【請求項１１】
請求項１０記載の第１の管理システムであって、
前記配電網の構成情報を管理し、
前記配電網の構成情報に基づき、前記第２類の設備の内、前記「要求された管理情報の生成に必要な情報」の取得対象を特定し、
前記第２の管理システムに、前記第２類の、前記特定した設備に係る情報を要求し、
取得した前記第２類の、前記特定した設備に係る情報に基づき、前記所定のルールに従い、前記要求された管理情報を生成する
ことを特徴とする第１の管理システム。
【請求項１２】
請求項１０または１１に記載の第１の管理システムであって、
前記配電網は、前記第１類の設備が配電する電気を前記第２類の設備へ配電する際に経由する第３類の設備を含む場合、
前記配電網の構成情報に基づき、前記「要求された管理情報の生成に必要な情報」を取得対象に、特定の前記第３類の設備が含まれる場合は、前記第３類の設備に係る情報を取得し、
取得した前記第２類の設備に係る情報と前記第３類の設備に係る情報とに基づき、前記要求された管理情報を生成する
ことを特徴とする第１の管理システム。
【請求項１３】
請求項１０に記載の第１の管理システムであって、
前記管理情報は、単位期間単位で取得された値であり、
前記要求が期間情報を含まない場合は、要求を受信した日時に係る前記管理情報を応答する
ことを特徴とする第１の管理システム。
【請求項１４】
請求項１０から１２のいずれか一に記載の第１の管理システムであって、
前記要求から、期間情報を抽出し、要求された期間について、前記要求された管理情報を生成する
ことを特徴とする第１の管理システム。
【請求項１５】
請求項１４に記載の第１の管理システムであって、
前記管理情報は、単位期間単位で取得された値であり、
前記期間情報が複数の単位期間を示す場合は、単位期間ごとに、前記要求された管理情報を生成し、
複数生成した前記要求された管理情報を演算し、
前記演算結果を応答する
ことを特徴とする第１の管理システム。
【請求項１６】
請求項１５に記載の第１の管理システムであって、
前記単位期間単位の前記管理情報は、
前記単位期間内の積算値である
ことを特徴とする第１の管理システム。
【請求項１７】
請求項１５または１６に記載の第１の管理システムであって、
前記演算とは加算である
ことを特徴とする第１の管理システム。
【発明の詳細な説明】
【技術分野】
【０００１】
開示される主題は、送電網から受電した電気を需要家に供給するための配電網を管理する配電網システムに関する。
【背景技術】
【０００２】
欧米に続き、日本でも電力自由化が行われつつある。日本では、電力小売の全面自由化の後に、発送電分離が行われることになっている。電力会社の送配電部門が事業者として分離独立することで、新規参入の発電事業者も、送配電網を公平に利用することが可能となる。
【０００３】
自由化により競争が激しくなり各事業者が更なるコストダウンを迫られることが予想できる。
【０００４】
送配電事業者は、現在、各需要家に設置される計量器（電力メータ）を、ネットワークに接続可能なスマートメータに切り替えつつある。スマートメータより得られた電力値は、メータ管理システムに集約され、その電力値を基に需要家への課金処理が行われる。スマートメータにより、人手で行っている検針やメータ開閉制御の作業の遠隔操作が可能となる。
【０００５】
配電網には、従来から配電網の構成を自動制御するための設備が導入されている。この配電網に設置されたそれぞれの設備において、配電網の状態を監視するためのセンサ情報が取得可能となっている。配電自動化システムは、この配電網のセンサ情報を用いて、網状態を監視し、例えば電圧低下や断線等の検知により、配電網（配電経路ともいう）の構成変更（すなわちトポロジ変更）の指示を区間開閉器へ出すといった制御の管理を行っている（特許文献１、段落００１０）。
【０００６】
今後、送配電事業者は、配電網という管理対象において、メータ管理システムや、配電自動化システムといった、複数の管理システムを運用することになる。配電網の適切な運用管理には、それぞれのシステムで得られる情報の一元管理が望ましい。
【０００７】
特許文献2には「配電自動化システムおよび配電線系統情報管理システムの２種類のシステムが存在し、〜、各配電設備にはそれぞれのシステムに属する設備制御装置と光制御装置の２つの制御手段が設置されており、コストの増大を招いていた。」（段落０００５）、「かかる構成では、２つの制御手段を用いることによるコストの増大のみならず、複雑なシステム系統による煩雑な処理を招き、配電自動化システムにおける接続切換や中継処理に多大な処理負担を費やしていた」（段落０００６）ことが開示されている。
【先行技術文献】
【特許文献】
【０００８】
【特許文献１】特開2014-158314号公報
【特許文献２】特開2009-232539号公報
【発明の概要】
【発明が解決しようとする課題】
【０００９】
特許文献２は「伝送容量の大きい光通信方式を用いて中央制御装置からの制御信号を光制御装置に直接伝送するシステムを構築し、光制御装置に配電設備の制御機能と計測機能とを集約することで、配電設備の迅速かつ確実な制御が可能な配電自動化システムおよび制御信号分岐装置を提供する」（段落０００７）ことを開示している。すなわち、新たなシステムを構築して、二つのシステムにある機能を集約することを開示している。
【００１０】
しかしながら、現在の配電自動化システムのような、すでに構築されている現在の資産を活用しつつ、機能を集約する点について、開示が無い。
【課題を解決するための手段】
【００１１】
本明細書では、メータ管理システムと連携して、送配電網の適切な運用管理を可能にする配電自動化システムと、メータ管理システムと配電自動化システムが連携して、電線路上に形成された配電網を管理する配電網管理システムと、が開示される。
【００１２】
配電網管理システムと、そこに用いる配電自動化システムのより具体的な態様においては、
電線路は、第１類の設備（例えば、区間開閉器、柱上変圧器）と第２類の設備（例えば、スマートメータなどの計量器）を含む複数種類の設備が互いに電線で接続されており、
配電網は、第１類の設備が受電した電気を、第２類の設備を介して、需要家に配電するものである場合に、
配電網管理システムは、
第１類の設備を管理する配電自動化システム（第１の管理システムという）と、第２類の設備を管理するメータ管理システム（第２の管理システムという）と、を含み、
第１の管理システムに、第１類の、第１の設備に係る管理情報を要求するものであり、
第１の管理システムは、
自システム内で、要求された管理情報を保持している場合は、保持している当該管理情報を回答し、
自システム内で、要求された管理情報を保持していない場合は、第２の管理システムに、要求された管理情報の生成に必要な情報を要求し、
第２の管理システムから取得した情報に基づき、所定のルールに従い、要求された管理情報を生成し、
生成した要求された管理情報を応答する、ことを特徴とする。
【００１３】
また、上記配電網管理システムにおいて、
第１の管理システムは、
配電網の構成情報を管理し、
配電網の構成情報に基づき、第２類の設備の内、「要求された管理情報の生成に必要な情報」の取得対象を特定し、
第２の管理システムに、第２類の、特定した設備に係る情報を要求し、
取得した第２類の、特定した設備に係る情報に基づき、所定のルールに従い、要求された管理情報を生成する、ように構成しても良い。
【００１４】
また、上記配電網管理システムにおいて、
第２の管理システムは、
要求された、第２類の、特定した設備に係る情報を取得して応答し、
要求された、第２類の、特定した設備に係る情報を取得できない場合は、予め定めた規則に従う暫定値を応答する、ように構成しても良い。
【００１５】
また、上記配電網管理システムにおいて、
配電網は、第１類の設備が配電する電気を第２類の設備へ配電する際に経由する第３類の設備を含み、
第１の管理システムは、
配電網の構成情報に基づき、「要求された管理情報の生成に必要な情報」を取得対象に、特定の第３類の設備が含まれる場合は、第３類の設備に係る情報を取得し、
取得した第２類の設備に係る情報と第３類の設備に係る情報とに基づき、要求された管理情報を生成する、ように構成しても良い。
【００１６】
また、上記配電網管理システムにおいて、
第１の管理システムと第２の管理システムが管理する管理情報は、単位期間単位（per unit time）で取得された値であり、
第１の管理システムは、要求が期間情報を含まない場合は、要求を受信した日時に係る管理情報を応答する、ように構成しても良い。
【００１７】
また、上記配電網管理システムにおいて、
第１の管理システムは、要求から、期間情報を抽出し、要求された期間について、要求された管理情報を生成する、ように構成しても良い。
【００１８】
また、上記配電網管理システムにおいて、
第１の管理システムと第２の管理システムが管理する管理情報は、単位期間単位（per unit time）で取得された値であり、
第１の管理システムは、期間情報が複数の単位期間を示す場合は、単位期間ごとに、要求された管理情報を生成し、
複数生成した要求された管理情報を演算し、
演算結果を応答する、ように構成しても良い。
【００１９】
また、上記配電網管理システムにおいて、
単位期間単位（per unit time）の管理情報は、
単位期間内の積算値である、ように構成しても良い。
【００２０】
また、上記配電網管理システムにおいて、
演算とは加算である、ように構成しても良い。
【発明の効果】
【００２１】
開示によれば、管理コストを抑制しつつ、スマートメータも対象に含めた配電網管理を行うことが可能になる。
【図面の簡単な説明】
【００２２】
【図１】実施例において、配電網の構成図を例示する図である。
【図２】実施例において、配電網の管理システムの構成例を例示する図である。
【図３】実施例において、配電自動化システムが、配電網内における区間開閉器や柱上変圧器の設置位置情報を管理するための配電系統設備位置情報テーブルを例示する図である。
【図４】実施例において、メータ管理システムが、スマートメータの設置位置情報を管理するためのメータ位置情報テーブルを例示する図である。
【図５】実施例において、配電自動化システムが、配電網内における区間開閉器や柱上変圧器等の接続関係を管理するための区間開閉器情報テーブルを例示する図である。
【図６】実施例において、配電自動化システムが、配電網内における柱上変圧器とその下位に属するスマートメータの接続関係を管理するための柱上変圧器情報テーブルを例示する図である。
【図７】実施例において、配電自動化システムが、区間開閉器の電力値を管理するための区間開閉器電力値テーブルを例示する図である。
【図８】実施例において、配電自動化システムが、柱上変圧器の電力値を管理するための柱上変圧器電力値テーブルを例示する図である。
【図９】実施例において、メータ管理システムが、スマートメータの電力値を管理するためのスマートメータ電力値テーブルを例示する図である。
【図１０】実施例において、其々のGWにおいてアプリケーションからの要求を転送する際に、転送先システムのアドレスを管理するための要求先情報テーブルを例示する図である。
【図１１】実施例において、配電自動化システム側に設置するGWが実行する、電力値取得要求に対する受信処理シーケンスの一例を示す図である。
【図１２】実施例において、配電自動化システム側に設置するGWが実行する、相互接続先に対する電力値取得に対する処理シーケンスの一例を示す図である。
【図１３】実施例において、電力値管理システムと配電自動化システム間で電力値取得要求とその応答における処理フローの一例を示す図である。
【図１４】実施例において、配電自動化システム側に設置するGWが実行する、積算電力値取得要求に対する受信処理シーケンスの一例を示す図である。
【図１５】実施例において、配電自動化システム側に設置するGWが実行する、相互接続先に対する積算電力値取得に対する処理シーケンスの一例を示す図である。
【図１６】実施例において、配電自動化システム側に設置するGWが、配電自動化システムへ問合せるリクエストの一例を示す図である。
【図１７】実施例において、配電網の電力値管理システムを担う装置の構成例を例示する図である。
【図１８】実施例において、配電網の各システムに隣接して設置されるGWを担う装置の構成例を例示する図である。
【図１９】実施例において、配電自動化システム側に設置するGWが実行する、相互接続先の情報に対する処理シーケンスの一例を示す図である。
【発明を実施するための形態】
【００２３】
以下、実施例について図面を参照して説明する。
【実施例１】
【００２４】
本実施形態で想定する配電網の構成は、図1に示される構成例の通りである。図1は、発電所（Power plantを略してPPと記す）1から変電所（Substationを略してSSと記す）2へ送電された電気が、変電所2から複数（図1では2つ）の系統に分かれ、其々の系統で、一つ以上の区間開閉器（Section Switchを略してSWと記す）3を介してスマートメータ5（以下、計量器またはスマートメータをメータと称し、Smart Meterを略したSMと記す）へ送られる構成例である。区間開閉器3とスマートメータ5の間に、柱上変圧器（Pole Transformerを略してTRと記す）4を経由する場合もある。
【００２５】
図1の点線枠内は、本実施例の対象とする配電網0を示す。枠内に記す記号SW001〜SW003、SW010、TR001、SM001〜SM003は、図3〜図9を用いた説明時に利用する。
【００２６】
一般に、発電所1と変電所2との間は超高電圧（例えば数万ボルト）で送電される。変電所2から区間開閉器3や柱上変圧器4へは高電圧（例えば数千ボルト）で配電される。配電された電気は柱上変圧器4で低電圧（例えば数百ボルト）に降圧されてスマートメータ5へ配電される。柱上変圧器4を経由しない場合、スマートメータ5へは高電圧で配電される。これは、高電圧の需要家と低電圧の需要家が存在するためである。
【００２７】
なお、以降では、変電所2より下位に接続される区間開閉器3、柱上変圧器4、スマートメータ5を総称して設備と呼ぶ。
【００２８】
図1の各要素を接続する線は、送電するための電力線を示す。図2で示す其々のシステムによる監視用情報の収集には、電力線とは別の、其々の設備から監視用情報を収集するための通信系の配線を利用する。この配線は、光ファイバー網や電力線等を利用した物理的な場合と、無線の場合とがある。
【００２９】
図2は、本実施形態のコンピュータシステムの構成図である。本実施例は、電力値管理システム201と配電自動化システム202、メータ管理システム203の3つのシステムを含んで構成される。其々のシステムはネットワーク200を介して互いに接続されるが、その間に其々のGW（2011,2021,2031）が介在する。本実施例では、其々のシステム用に専用のGWを配置した構成を示しているが、これらの機能を1つのGWに纏めてもよい。
【００３０】
GWの中で、配電自動化システム202側に接続されるGW（配電自動化システムGW2021と記す）には、例えば電力値管理システム201から配電自動化システム202宛の処理要求の管理を実現するプログラムと、区間開閉器情報500、柱上変圧器情報600を含む各種情報2025が配置される。
【００３１】
電力値管理システム201には、電力値管理アプリケーション（電力値管理APと記す）2012を実現するプログラムと、そのアプリケーションが利用する設備電力値管理情報321を含む各種情報2013が配される。電力値管理システム201は、図1に示す配電網の其々の設備における電力値を管理するシステムである。この電力値を基にして、設備の劣化の把握や、劣化を踏まえた配電網の設備設計（設備のリプレイス含む）の計画を行う。
【００３２】
配電自動化システム202には、系統監視制御アプリケーション（系統監視制御APと記す）2022を実現するプログラムと、配電系統設備位置情報30、区間開閉器電力値700、柱上変圧器電力値800を含む各種情報2023が配置される。配電自動化システム202は、配電網の設備の中で、区間開閉器3や柱上変圧器4といった高電圧に接続される設備について、設備間の接続関係や、設備の電力値等を管理する。
【００３３】
メータ管理システム203には、SM電力値収集アプリケーション（SM電力値収集APと記す）2032を実現するプログラムと、メータ位置情報40、スマートメータ電力値900を含む各種情報2033が配置される。メータ管理システム203は、スマートメータ5から電力値を取得し、その電力値を管理する。
【００３４】
本実施例の其々のシステムでは、電力値を処理対象として扱うが、電力値以外に、例えば電圧や電流、設備の物理的劣化を判定するための写真等のデータを扱ってもよい。
【００３５】
図17は、電力値管理システム201の構成例を示す図である。電力値管理システム201は、1つ以上のCPU301とネットワークインターフェース（NW I/Fと記す）302と、入出力装置304と、メモリ306が内部バス等の通信路305を介して相互に接続されるコンピュータ上に実現される。電力値管理システム201は、NW I/F302を介して電力値管理システムGW2011とネットワーク200と接続される。また、電力値管理システム201は、図示していない1以上の端末に接続される。
【００３６】
メモリ306には、電力値管理アプリケーション310を実現するプログラムと設備電力値管理情報321とが格納される。メモリ306は、電力値管理システム201に接続可能な媒体であってもよい。媒体とは、例えば図示しない外部デバイスインターフェースに着脱可能なハードディスク装置等の記憶媒体、又は通信媒体（NW I/F302に接続する有線又は無線、光等のネットワーク、又は当該ネットワークを伝搬する搬送波やディジタル信号）を指す。
【００３７】
図示していない配電自動化システム202やメータ管理システム203も同様の構成であってよい。なお、配電自動化システム202とメータ管理システム203のメモリ306には、図2に示したように其々のアプリケーションと各種管理テーブルをメモリに格納される。
【００３８】
図18は、配電自動化システム202に接続される配電自動化システムGW2021の構成例を示す図である。配電自動化システムGW2021は、1つ以上のCPU401と、NW I/F（402〜403）と、入出力装置405とメモリ407が内部バス等の通信路406を介して相互に接続されるコンピュータ上に実現可能である。配電自動化システムGW2021は、NW I/F402を介して配電自動化システム202と接続され、NW I/F403を介してネットワーク200に接続される。これら2つのNW I/F(402〜403)は1つのNW I/Fがネットワーク200と配電自動化システムに接続される形態であっても構わない。
【００３９】
メモリ407には、中継機能410と要求先情報421、区間開閉器情報422、柱上変圧器情報423が格納される。メモリ407は、配電自動化システムGW2021が利用可能な記録媒体であってもよい。
【００４０】
また、本実施例では図示しないが、電力値管理システム201やメータ管理システム203に接続されるGW(2011,2031)も同様の構成であってよい。
【００４１】
本実施例で管理する情報を図3〜図9を用いて説明する。これらの図には、配電網0内の各設備を対象とする例を示している。
【００４２】
図3は、配電自動化システム202が管理する配電系統設備位置情報30の一例をテーブル形式で示したものである。配電自動化システム202が管理する配電系統設備位置情報テーブル30は、区間開閉器3、柱上変圧器4、其々の設置場所の情報、そして区間開閉器3に接続される柱上変圧器4の接続情報を、単位期間単位に管理する。例えば、日時T1までの単位期間の間に、区間開閉器3の設置、撤去、場所変更などが発生した場合に、図3の配電系統設備位置情報テーブル30が更新される。
【００４３】
また、区間開閉器3の開閉設定等の変更によって、配電網（配電経路ともいう）の構成が変更（すなわちトポロジが変更）になり、区間開閉器3に接続される柱上変圧器4が接続される区間開閉器3が変更された場合にも、配電系統設備位置情報テーブル30が更新される。
【００４４】
図3に示すように、構成日時欄31には、配電系統設備位置情報テーブル30に登録される設備が設置場所に設置された単位期間の終わりを示す日時が登録される。
【００４５】
区間開閉器ID欄32には、配電網0に設置された区間開閉器3の識別子が登録される。柱上変圧器ID欄33には、配電網0に設置された柱上変圧器4の識別子が登録される。設置場所ID欄34には、配電網0内における区間開閉器3や柱上変圧器4の物理的な設置場所の識別子が登録される。接続設備欄35には、区間開閉器ID欄32に登録される区間開閉器3に接続される設備（区間開閉器3又は柱上変圧器4）の識別子が登録される。接続場所範囲欄36には、配電網0において当該区間開閉器と接続される物理的な場所の範囲が登録される。なお、図中の「−」値は、登録情報が無いこと又は接続関係がないことを示す。以降も同様である。
【００４６】
図4は、メータ管理システム203が管理するメータ位置情報40の一例をテーブル形式で示したものである。メータ管理システム203が管理するメータ位置情報テーブル40は、スマートメータ5が設置された場所と期間を管理する。なお、本テーブルでは需要家に関する情報（例えば、契約場所等の情報）は省略している。
【００４７】
図4に示すように、構成日時欄41には、スマートメータ5が設置された単位期間の終わりを示す日時が登録される。スマートメータID欄42には、スマートメータ5の識別子が登録される。設置場所ID欄43には、当該スマートメータ5が設置された場所の識別子が登録される。接続情報欄44には、スマートメータの接続先情報が登録される。図中記載の「高電圧」は、「SM010」が高電圧接続されていることを示している。工場等で大量の電気を利用する需要家は、低電圧で受電するよりも、高電圧で受電した方がモーター等の電力機器を効率よく運用可能な場合がある。
【００４８】
図3及び図4に示したように、配電系統の設備に関する設置場所情報が、其々の設備を管轄するシステム毎に管理されている。図3に示した配電系統設備位置情報テーブル30の接続設備35によって、区間開閉器3と柱上変圧器4の接続関係を把握できる。また、配電系統設備位置情報テーブル30の設置場所ID34と、図4に示したメータ位置情報テーブル40の設置場所ID43とを比較することによって、柱上変圧器4とスマートメータ5間の接続関係を把握できる。本実施例では、柱上変圧器4を引込点として、
複数のスマートメータ5が接続される形態を想定している。そのため、メータ位置情報テーブル40の設置場所ID欄43に登録される設置場所識別子の上4桁を柱上変圧器4の設置場所（引込点）とした時の例を示している。つまり、「P002」で示される設置場所IDの柱上変圧器4「TR001」には、設置場所ID「P002」が頭文字のスマートメータ5「SM001」「SM002」が接続されることを示している。
【００４９】
次に、配電自動化システムGW2021が、配電自動化システム202が管理する配電系統設備位置情報30と、メータ管理システム203が管理するメータ位置情報40を用いて、配電網における区間開閉器3、柱上変圧器4、スマートメータ5間の接続関係を管理する情報の一例を図5及び図6において示す。
【００５０】
図5は、配電自動化システムGW2021が管理する区間開閉器情報500の一例をテーブル形式で示したものである。この区間開閉器情報テーブル500は、区間開閉器IDと、その他の接続区間開閉器ID、柱上変圧器ID、スマートメータIDなどの管理対象設備との接続関係を、単位期間ごとに管理する。具体的には、配電網0において、区間開閉器3に接続される柱上変圧器やスマートメータ等の情報が格納される。これにより、例えば系統監視制御アプリケーション2022は、区間開閉器3と登録設備の接続関係を認識できる。
【００５１】
図5に示すように、構成日時欄501には、区間開閉器情報テーブル500に登録されるその他の設備との接続関係に変化があった単位期間の終わりを示す日時が登録される。区間開閉器ID欄502には、配電網0において、上位層側（変電所2側）の区間開閉器3の識別子が登録される。接続区間開閉器ID欄503には、配電網0において下位層側（末端側）に接続される区間開閉器3の識別子が登録される。柱上変圧器ID欄504には、配電網0において下位層側（末端側）に接続される柱上変圧器4の識別子が登録される。スマートメータID欄には、配電網0において下位層側（末端側）に接続されるスマートメータ5の識別子が登録される。なお、本テーブル500に登録される設備は、全て高電圧に直接接続される設備である。そのため、スマートメータID欄505に登録されるスマートメータ5は、高電圧契約の需要家に設置される。
【００５２】
図6は、配電自動化システムGW2021が管理するが管理する柱上変圧器情報600の一例をテーブル形式で示したものである。柱上変圧器情報テーブル600は、柱上変圧器IDと、スマートメータIDとの接続関係を、単位期間ごとに管理する。具体的には、配電網0における柱上変圧器4とスマートメータ5との接続関係が、単位期間ごとに登録される。
【００５３】
図6に示すように、構成日時欄601には、柱上変圧器情報テーブル600に登録される設備とスマートメータと接続関係に変化があった単位期間の終わりを示す日時が登録される。柱上変圧器ID欄602には、配電網0における柱上変圧器4の識別子が登録される。スマートメータ欄603には、柱上変圧器ID欄602の下位層側に接続されるスマートメータ5の識別子が登録される。
【００５４】
図3や図4では、構成日時「T1」の配電設備の状況例を示した。図4は構成日時「T5」にてスマートメータ5が新たに設置されたことによる、配電網（配電経路ともいう）の構成変更（すなわちトポロジ変更）も示している。
【００５５】
図5及び図6では構成変更された日時「T5」における、配電設備の接続関係の一例を示す。図5の区間開閉器情報テーブル500は、図3に示した配電系統設備位置情報30の構成日時31、区間開閉器ID32、接続設備35の情報を基に、配電自動化システムGW2021が生成する。図6の柱上変圧器情報テーブル600は、図3に示した配電系統設備位置情報30の構成日時31、柱上変圧器ID33、設置場所ID34、及び、図4に示したメータ位置情報40の構成日時41、スマートメータID42、設置場所ID43の情報を基に、配電自動化システムGW2021が生成する。柱上変圧器4とスマートメータ5の接続関係については、上記の通りである。
【００５６】
また、図5の5行目に示したスマートメータID「SM010」については、図4のメータ位置情報40の接続情報44に登録される「高電圧」接続であって、設置場所ID43が配電系統設備位置情報30の接続場所範囲36に含まれる範囲を検索し、高電圧接続のスマートメータ5が接続される区間開閉器3を抽出して、関係性を見出す。
【００５７】
図5及び図6のテーブルは、図19を用いて後述するように、配電自動化システムGW2021が配電網0の設備負荷に対する問い合わせを受けたタイミングで新規に生成、又は更新を行う。
【００５８】
図7は、配電自動化システム202が管理する区間開閉器電力値テーブル700の一例を示したものである。区間開閉器電力値テーブル700は、区間開閉器ID、電力値、取得日時を関連付けて管理する。具体的には、配電網0に接続されている区間開閉器3の電力値等の情報が格納される。
【００５９】
図7に示すように、区間開閉器ID欄701には、配電網0に接続される区間開閉器3の識別子が登録される。電力値欄702には、当該区間開閉器ID欄701に登録される区間開閉器3の、取得日時が示す単位期間の電力値が登録される。取得日時欄703には、当該区間開閉器ID欄701に登録される区間開閉器3の電力値を取得した日時が登録される。
【００６０】
図8は、配電自動化システム202が管理する柱上変圧器電力値800の一例をテーブル形式で示したものである。柱上変圧器電力値テーブル800は、柱上変圧器ID、電力値、取得日時を関連付けて管理する。具体的には、配電網0に接続されている柱上変圧器4の電力値等の情報が格納される。
【００６１】
図8に示すように、柱上変圧器ID欄801には、配電網0に接続される柱上変圧器4の識別子が登録される。電力値欄802には、当該柱上変圧器ID欄801に登録される柱上変圧器4の、取得日時が示す単位期間の電力値が登録される。取得日時欄803には、当該柱上変圧器ID欄801に登録される柱上変圧器4の電力値を取得した日時が登録される。
【００６２】
図9は、メータ管理システム203が管理するスマートメータ電力値900の一例をテーブル形式で示したものである。スマートメータ電力値テーブル900は、スマートメータID、電力値、取得日時を関連付けて管理する。具体的には、配電網0に接続されているスマートメータ5の電力値等の情報が格納される。
【００６３】
図9に示すように、スマートメータID欄901には、配電網0に接続されるスマートメータ5の識別子が登録される。電力値欄902には、当該スマートメータID欄901に登録されるスマートメータ5の、取得日時が示す単位期間の電力値が登録される。取得日時欄903には、当該スマートメータID欄901に登録されるスマートメータ5の電力値を取得した日時が登録される。
【００６４】
図3から図9までの各情報を管理する配電自動化システム202とメータ管理システム203とは時刻同期しており、各情報の管理に用いる単位期間は、区切りも長さも統一されているものとする。
【００６５】
図３〜９において、構成日時31、41、501と、取得日時703、804、903は、各単位期間の終わりを示す日時である。上記で説明した通り、図７〜９に示す電力値は、取得日時が示す単位期間の開始から終わりまで（又はその途中まででもかまわない）の電力値の合計値を示すことになる。
【００６６】
図10は、各GW（2011,2021,2031）が管理する要求先情報1000の一例をテーブル形式で示したものである。要求先情報テーブル1000は、要求先、システム名、アドレスを関連付けて管理する。具体的には、GWが受け取った要求について、どのシステムに対して要求を転送するのか判定するための情報が登録される。例えば、区間開閉器3の電力値に関する要求であれば、区間開閉器3を管理する配電自動化システム202が抽出され、電力値管理システムGW2011は配電自動化システム202へ要求を転送する。実際には、配電自動化システム202の前面に配される配電自動化システムGW2021へ要求が転送される。
【００６７】
図10に示すように、要求先欄1001には、要求メッセージ中の要求先（上記例での区間開閉器3）を識別するための設備情報（識別子であってもかまわない）が登録される。システム名欄1002には、要求先欄1001に登録された当該設備を管理するシステム名（識別子であってもかまわない）が登録される。アドレス欄1003には、システム名欄1002に登録される当該システムへ接続するためのアドレス情報が登録される。
【００６８】
図3〜図10に示す各情報の構成は一例であって、各情報が対応付けられて管理できれば、異なる構成を採っても良い。
【００６９】
図11〜図13を参照して、本実施例におけるシステムの動作を説明する。
【００７０】
図11は、配電自動化システムGW2021が電力値管理システム201から、配電網0内にある設備における電力値の取得要求を受け、応答する場合の処理フローの一例を示したものである。
【００７１】
図13は、図11と図12に示すフローチャートを、電力値管理システム201と配電自動化システム202間のメッセージのやり取りを中心に示すシーケンス図の一例である。
【００７２】
図11において、電力値管理システム201の電力値管理アプリケーション2012が配電網0における特定の設備の電力値を取得するための電力値取得要求メッセージ1301を生成し、そのメッセージ1301を電力値管理システムGW2011へ送信する。電力値管理システムGW2011が該メッセージ1301を解析して、指定された設備が配電自動化システム202によって管理されている区間開閉器3や柱上変圧器4であると判定したら、それらの電力値を管理する配電自動化システム202へ宛てて、電力値取得要求メッセージ1301を転送する。電力値取得要求メッセージ1301は、配電自動化システムGW2021によって受信される。
【００７３】
図11に示すフローチャートは、実際には配電自動化システムGW2021上で動作するプログラムである中継機能410が実行する。以降では、GWを実行主体として説明する。
【００７４】
配電自動化システムGW2021は、配電自動化システム202宛の要求メッセージを受信する（ステップ1101）。そして、配電自動化システムGW2021は、その要求メッセージを解析する（ステップ1102）。この解析では、その目的（どの設備の電力値か）を抽出する。本実施例では、メッセージは事前に決められたフォーマットを使うものとする。例えば、メッセージ内にSQL文が含まれ、SELECT文で指定された設備IDや電力値を解析によって認識する。他にシステム間で共通の規格等を利用する形態もありうる。
【００７５】
配電自動化システムGW2021は、ステップ1102の解析に沿って、配電自動化システム202へ設備xxの電力値を問い合わせる（ステップ1103）。ステップ1102の解析と同様、本実施例のこのステップでも問合せ書式は、SQLを想定している。本実施例では、問合せ先の配電自動化システム202側でSQL問合せを認識して応答を行うことができることを想定している。
【００７６】
そして、ステップ1103の問合せに対する配電自動化システム202から応答を受け、その応答内容を解析する（ステップ1104）。ここの解析では、電力値の応答（図13 ステップ1302）と、エラー応答（図13 ステップ1303、当該設備の電力値は不保持、又は未取得）のいずれかを想定している。
【００７７】
実施例1において、ステップ1101で受信する要求メッセージと、ステップ1103での問い合わせは、後述する実施例２とは異なり、期間情報の指定を含まない。配電自動化システム202は、問合せを受信した日時が含まれる単位期間情報を応答する。
【００７８】
ステップ1104で、電力値の応答があり、正常応答と判定された場合（図13 ステップ1302）、配電自動化システムGW2021は、配電自動化システム202より受けた値を設備xxの電力値として、電力値管理システムGW2011へ応答してフローを終了する（ステップ1109）。
【００７９】
ステップ1103で問合せを受けた配電自動化システム202は、問合せを受信した日時が含まれる単位期間情報を応答する代わりに、問合せを受信した期間の、最初から問い合わせを受信した日時までの値を応答しても良い。
【００８０】
ステップ1104でエラー応答と判定された場合（図13 ステップ1303）、配電自動化システムGW2021は、配電自動化システム202及びメータ管理システム203へエラー応答を受けた設備xxの相互接続先情報を問い合わせる。エラー応答を判定するために、例えば、特定のプロトコル（例えばSQL）による問い合わせによって、応答値がゼロ、値無しといった場合をエラー応答とする方法がある。
【００８１】
そして、その結果を用いて区間開閉器情報500と柱上変圧器情報600を作成する（ステップ1105、図13 ステップ1304）。ここで、相互接続先情報とは、設備xxに含まれる設備及び周辺の設備を指す。ステップ1105の詳細を図19に示す。
【００８２】
図19に示すフローチャートは、図11に示したフローチャートと同様に、配電自動化システムGW2021上である中継機能410が実行する。
【００８３】
まず、設備xxを含む相互接続情報を抽出する。そして、配電自動化システムGW2021の中継機能410は、抽出結果を用いて、図5に示す区間開閉器情報500を生成する（ステップ1901、図13ステップ1304及び1305）。具体的には、配電自動化システムGW2021は、配電自動化システム202に対して、配電系統設備位置情報30において設備xxの識別子を検索するための問合せを行う。例えば、設備xxがTR001である場合、配電系統設備位置情報30を「TR001」をキーとして検索し、その接続関係を持つ設備情報を検索する。TR001は、SW001に接続されているため、SW001に接続されている設備として接続設備欄35の登録情報（TR001、TR002、TR003、SW002）を抽出する。そして、当該日時におけるSW001とその接続関係が判明した設備情報（TR001、TR002、TR003、SW002）を基に、図5の区間開閉器情報テーブル500を生成（又は更新）する。ただし、このステップにおいては、図5に示したSM010の情報はまだ未入力である。
【００８４】
配電自動化システムGW2021は、抽出した設備情報に柱上変圧器4が含まれるか否かを判定する（ステップ1902）。本ステップで含む場合、さらに接続先設備があると判定し、ステップ1903へ移り、含まないと判定された場合、図19のフローチャートを終了する。ステップ1902では、配電系統設備位置情報30の柱上変圧器ID33に登録される設備の有無で判定する。
【００８５】
配電自動化システムGW2021は、柱上変圧器4に接続される設備（スマートメータ5）を、メータ管理システム203へ問合せる（ステップ1903、図13ステップ1304及び1305）。具体的に、柱上変圧器の識別子（柱上変圧器ID33に登録される識別子）を基に設置場所ID34を抽出し、その抽出した設置場所ID34をキーにメータ管理システム203が管理するメータ位置情報40を検索する。図3及び図4に示した例では、「TR001」の設置場所ID34は「P002」である。図4において「P002」を含む設置場所ID43は、「SM001〜SM003」である。そして、配電自動化システムGW2021は、当該日時における柱上変圧器4に接続されるスマートメータ5の情報を基に、図6に示した柱上変圧器情報600を生成（又は更新）する。
【００８６】
配電自動化システムGW2021は、メータ位置情報40の接続情報44に登録される「高電圧」接続であって、設置場所ID43が配電系統設備位置情報30の接続場所範囲36に含まれる範囲を検索し、高電圧接続のスマートメータ5が接続される区間開閉器3を抽出して、関係性を見出す。
【００８７】
図4のSM010は、接続情報44に高電圧登録があり、その設置場所ID43はP005である。そして、図3の中で、P005を包括する接続場所範囲36は、区間開閉器ID32に示されるSW001である。これより、高電圧接続のSM010はSW001に接続されていると関係性を見出せる。この結果に基づき、SW001の接続関係を管理する図5を更新する。
【００８８】
ステップ1105の問合せ結果として、相互接続先情報の有無を確認する（ステップ1106）。配電自動化システム202からの応答に相互接続先情報が含まれる場合、ステップZ1に移る。一方、相互接続先情報が含まれない場合、ステップ1110に移る。ここで、ステップ1105の問合せ結果として、複数の相互接続先が応答される場合があり得る。
【００８９】
ステップ1106において、相互接続先情報が含まれないと判定された場合、配電自動化システムGW2021は、設備xxの電力値を推定し、その推定値を電力値管理システムGW2011へ応答してフローを終了する（ステップ1110）。本ステップの推定では、より上位層に位置する設備の電力値と、当該設備と同列（同層）の他設備の電力値とを用いて、上位層設備の電力値から、同層の他設備の電力値の減算で推定する方法がある。また、本ステップでは、既存の技術を用いた推定を行うこともできる。
【００９０】
ステップ1106において、相互接続情先報が含まれると判定された場合、配電自動化システムGW2021は応答に基づいて相互接続先の電力値を配電自動化システム202へ問合せる（ステップZ1）。このステップZ1の詳細は、図12にて述べる。
【００９１】
例えば、設備xxの相互接続先がスマートメータ5である場合、柱上変圧器4の負荷（電力量）が柱上変圧器4と接続関係のあるスマートメータ5の電力量の合計値で示せるというルールに従って、電力値問合せ結果を生成し、相互接続先の電力値問い合わせ結果を電力値管理システムGW2011へ応答してフローを終了する（ステップ1108）。設備xxの相互接続先が区間開閉器3や柱上変圧器4である場合にも、それらと接続関係にある設備の電力量の合計値で示せるというルールを定義しても良い。また、「電力量の合計値で示す」以外のルールを定義しても良い。
【００９２】
ここで、相互接続先が複数であった場合、その相互接続先の電力値を合算し、その合算値を設備xxの電力値と同等とみなして応答する。上述のように、「TR001」には「SM001〜SM003」が接続先として抽出されるため、これら「SM001〜SM003」について其々の電力値を問合せ（ステップZ1）、その応答（電力値）を合算する。なお、本フローにおいて、電線等による電力値の減衰（抵抗による減少）については無いものとしている。電力値管理システムGW2011へ設備xxの電力値を相互接続先の電力値に基づいて算出する場合、この減衰を考慮するため、電力値以外に電線の長さや太さ、材質等を加味した計算を実施することも考えられる。
【００９３】
本実施例では、区間開閉器3と柱上変圧器4間の関係性は図3の接続設備35の関係を利用し、柱上変圧器4とスマートメータ5間は設置場所識別子を用いて関係性を見出す例を示した。この関係性取得に際し、他の識別子等を用いて相互の接続性を示す形式であってもかまわない。
【００９４】
図12は、図11に示したフローの中で、ステップZ1の内容を詳細化したものである。図12では、配電自動化システムGW2021がステップ1105で得られた設備xxの下位層に位置する相互接続先情報に基づき、相互接続先の電力値を取得する処理フローの一例を示したものである。本処理フローは、1つの相互接続先の設備の電力値を取得する処理フローの一例を示している。図11のステップ1106において、複数の相互接続先の設備がある場合、その数の分だけ処理フローが実行される。
【００９５】
まず、配電自動化システムGW2021は相互接続先が配電自動化システム202で管理されている設備か否かを判定する（ステップ1201）。具体的には、本実施例では配電自動化システム202によって管理されている区間開閉器3や柱上変圧器4か否かを判定する。相互接続先が区間開閉器3や柱上変圧器4であれば、配電自動化システムGW2021は処理をステップ1202へ移る。相互接続先が区間開閉器3や柱上変圧器4以外のスマートメータ5であれば、ステップ1203へ移る。この解析処理は、図11の冒頭で述べた処理と同等である。
【００９６】
ステップ1201にて、配電自動化システム202が管理する設備と判定された場合、配電自動化システムGW2021は配電自動化システム202へ当該設備に対する電力値を問合せて、その応答を受信し、フローを終了する（ステップ1202、図13ステップ1306及び1307）。
【００９７】
ステップ1201にて、配電自動化システム202が管理する設備と判定されなかった場合、配電自動化システムGW2021はメータ管理システム203へ当該設備に対する電力値を問合せて、その応答を受信し、フローを終了する（ステップ1203、図13ステップ1306及び1307）。
【００９８】
ここで、当該設備が複数の場合もあり得る。そのため、複数の場合は、個々の当該設備ごとに電力値の問合せを実行（Z1のフローを複数回実行）する。また、本実施例では、配電自動化システム202が区間開閉器3と柱上変圧器4を管理し、メータ管理システム203がスマートメータ5を管理する構成である。そのため、当該設備が区間開閉器3と柱上変圧器4以外であれば、スマートメータ5に固定されてしまうため、ステップ1201においてステップ1202かステップ1203の二択との例を示した。しかし、2択である必要はなく、配電自動化システム202が管理していない設備の電力値であれば、その設備を管理するシステムを特定し、その設備の電力値を問合せることも可能である。
【００９９】
図13は、図11と図12に示したフローチャートを、電力値管理システム201と配電自動化システム202間のメッセージのやり取りを中心に示したフロー図の一例である。
【０１００】
電力値管理システム201は、設備xxの電力値の取得要求を出す。その要求は、電力値管理システムGW2011を介し、配電自動化システムGW2021へ届けられる。ここで、配電自動化システムGW2021は、要求内容を解析して、配電自動化システム202へ設備xxの電力値を問合せる（1301）。
【０１０１】
配電自動化システムGW2021は、配電自動化システム202より設備xxの電力値の正常応答を受信した場合、その応答について電力値管理システムGW2011を介して電力値管理システム201へ応答する（1302）。
【０１０２】
一方、配電自動化システムGW2021は、配電自動化システム202より設備xxの電力値のエラー応答を受信することもあり得る（1303）。これは、配電自動化システム202において、設備xxの電力値を計測していない場合や、電力値が欠測の場合等が考えられる。
【０１０３】
ここで、配電自動化システムGW2021が、エラー応答受信した場合（1303）、そのエラー応答を電力値管理システムGW2011へ応答せず、設備xxの電力値と設備xxの下位層に位置する設備群の電力値の合計がほぼ等しいと考え、設備xxの下位設備情報の取得要求を配電自動化システム202へ要求する。
【０１０４】
要求に先立ち、設備xxと接続関係にある設備を抽出するため、配電自動化システム202へ設備xxに関係する設備一覧を問合せる。その結果の中に柱上変圧器4が含まれる場合、その下位に接続されるスマートメータ5を抽出するため、メータ管理システム203へ当該柱上変圧器4に接続されるスマートメータ5を問合せる。メータ管理システム203には、柱上変圧器4の情報を持たないため、スマートメータの問合せ時には、柱上変圧器4の設置場所をキーとして問合せを行う（1304）。
【０１０５】
そして、1304の問合せ結果（1305）を用いて、区間開閉器情報500と柱上変圧器情報600の両テーブルを生成（更新）する（1105）。そして、その下位設備情報を得られた場合（1305）、配電自動化システムGW2021は、その下位設備yyを対象とした電力値の取得要求を配電自動化システムへ要求し、取得する（1306、1307）。配電自動化システム202が管理していない例えばスマートメータ5の電力値を取得する場合は、メータ管理システム203へ問い合わせを行う。設備yyが複数であれば、ステップ1306と1307を繰り返して其々の設備の電力値を取得する。
【０１０６】
電力値の問合せ先設備が、区間開閉器3や柱上変圧器4の場合で、ステップ1307において電力値の値が取得できなかった場合は、ステップ1104以降と同様の処理を繰り返す。
【０１０７】
電力値の問合せ先設備がスマートメータ5であり、ステップ1307において電力値の値が取得できなかった場合は、予め定めた規則に従い、例えば予め準備した値や、近隣のスマートメータ5と同値といった、暫定的な値を用いる。暫定的な値を用いた場合は、そのことを示す識別子を付与する。例えば、temporaryを示すtmpを電力値に付加する。
【０１０８】
ステップ1307において、複数の設備から電力値の応答を受信した場合、ステップ1108において、それらの電力値を元に、所定のルールに従って計算を行い、その結果を設備xxの電力値として算出する（1つの設備からの応答の場合は計算せず、その設備の電力値を利用する）。
【０１０９】
配電自動化システムGW2021は、設備xxの電力値を電力値管理システムGW2011へ送信する（1308）。電力値管理システムGW2011は、1308の応答を受け、電力値管理システム201へその応答を転送する（1309）。
【０１１０】
本実施例では、配電自動化システムGW2021とメータ管理システム203とのやり取りは、メータ管理システムGW2031を経由する。図13では、メータ管理システムGW2031を省略している。
【０１１１】
本実施例は、例えば図3の構成日時31で示されるときの柱上変圧器4の負荷（電力量）が、柱上変圧器4と接続関係のあるスマートメータ5の電力量の合計値であるというルールに基づいて説明した。
【０１１２】
このルールでは、柱上変圧器4とスマートメータ5のような電気設備間で、相互に接続される電線による減衰の影響を無視している。その他、柱上変圧器4の負荷（電力量）と、柱上変圧器4と接続関係のあるスマートメータ5の電力量との関係を示す、その他のルールを、管理者が指定するように構成してもかまわない。
【０１１３】
以上示したように、本実施例では、配電網0の接続関係を図5や図6のテーブルとして表現を行う例を述べた。しかし、RDF（Resource Description Framework）のような形式で管理することも可能である。その場合、SQLではなくRDF用のクエリ言語（例えばSPARQL（sparql protocol and rdf query language））を用いることになる。
【０１１４】
また本実施例によれば、配電自動化システムGW2021が、問い合わせ設備の電力値取得エラー時に、当該設備の下位設備の電力値の合算値を代わりに応答することが可能である。これば、問い合わせ設備の電力値と、当該設備の下位設備の電力値の合算がほぼ等価との認識の下、実行するものであり、このような別の認識を踏まえたGW側の問い合わせを行うことも可能である。また、1つのシステムで提供できなかったアプリケーションに対する要求を、既存のシステム其々が管理する情報を連携して補完し合って提供することが可能となる。個々のシステムへ直接手を加えずに、GWを介することで、システム毎に異なるI/Fの差を吸収でき、システム間の連携が可能となる。また、システム間の連携によって多量の通信が発生するが、それぞれのシステムに隣接させてGWを設置させ、そのGWとシステムとの近接状態で多量の通信を発生させることで通信時間とアプリケーションの処理時間の短縮が見込むことが可能になる。
【０１１５】
本実施例では、図1の点線枠内（配電網0）を対象として説明を行った。しかし、本実施例の対象を、発電所（PP）1や、変電所（SS）2、区間開閉器（SW）3まで拡張しても、同様に電力値管理システムを構築することは可能である。
【０１１６】
以上のように、実施例1では、ある設備における電力値の取得において、当該設備の電力値未取得時に下位設備の電力値の総和を用いて応答する実施の例を述べた。これは、時間軸の中で、要求を受けたある一つの時点（ある一つの単位期間）で実施される例である。
【実施例２】
【０１１７】
実施例2では、実施例1の実施内容に、時間軸の概念を加え、時間軸の中のある特定の、一つ以上の期間における設備の電力値を取得する実施の例について述べる。
【０１１８】
例えば、図1の配電網は変電所（SS）2と区間開閉器3（SW001）が接続される形態を示しているが、断線や、ある区間（ある区間開閉器間3の電線）の停電、送配電網管理による接続関係の変更といった理由によって、配電網（配電経路ともいう）の構成変更（すなわちトポロジ変更）が有り得る。構成変更により、例えば、変電設備より下位の送配電網の接続関係の変化によって、その送配電網に接続される需要家が変化する。この変化は、変電設備に対して掛かる負荷量（電力値）が変わることを意味する。そのため、配電網の接続形態と、その接続形態における電力値と、の推移が、変電設備の劣化を予測するための情報源になりうる。
【０１１９】
実施例2では、実施例1との差分を中心に説明する。
【０１２０】
図14は、配電自動化システムGW2021が電力値管理システム201からある設備のある期間（本実施例ではT1からT5）における電力値の取得要求を受けた場合の処理フローの一例を示したものである。以下では、図11との差分を中心に説明する。
【０１２１】
ステップ1402の要求解析では、配電自動化システムGW2021は、図11ステップ1102での要求解析に用いる対象設備情報に加えて、当該設備の電力値を積算するための期間情報を抽出する。期間情報とは、指定された一つ以上の連続した単位期間を示す情報である。例えば、日時T1が示す期間は、日時T0から日時T1の期間を示し、T1からT5は、日時T1、T2、T3、T4、T5で終わる5つの連続する単位期間を示している。
【０１２２】
そして、ステップ1403において、配電自動化システムGW2021は、ステップ1402で抽出した期間情報を含む問い合わせを配電自動化システム202へ送信する。例えば、配電自動化システムGW2021は日時T1における設備xxの電力値の問合せを配電自動化システム202へ送信する。配電自動化システム202は指定された期間情報に係る電力値を応答する。
【０１２３】
ステップ1104において、電力値の正常応答を受けた場合、配電自動化システムGW2021は、当該電力値を当該期間におけるある日時（例えば日時T1）（以降、指定日時と呼ぶ）の設備xxの電力値として決定する（ステップ1409）。また、ステップ1106において、設備xxの相互接続先の情報が得られなかった場合、配電自動化システムGW2021は指定日時（例えば日時T1）の設備xxの電力値を推定する（ステップ1410）。本ステップにおいても、実施例１のステップ1110で述べたように、様々な推定方法を用いることが可能である。ステップ1106において、配電自動化システムGW2021は設備xxの相互接続先の情報が得られた場合、期間内の相互接続先の電力値を問合せる（ステップZ11）。このステップZ11の詳細は、図15にて述べる。
【０１２４】
配電自動化システムGW2021はステップZ11の後に、相互接続先の期間内の電力値を合算して、設備xxの電力値を決定する（ステップ1408）。その後に、配電自動化システムGW2021は、要求に含まれる期間情報分全ての設備xxの電力値を取得したか確認する（ステップ1411）。未完了であれば、ステップ1403へ移り、要求された内、未取得の期間の電力値を取得する。そして、配電自動化システムGW2021は、これまでに取得した、日時T1から日時T5で指定される期間情報の設備xxの電力値を合計して、電力値の和を電力値管理システムGW2011へ応答してフローを終了する（ステップ1412）。
【０１２５】
上記説明では、設備xxに係る複数期間の情報を合計する例を示したが、設備xxの状況を把握するための異なる演算を行い、演算結果を応答してもかまわない。また、電圧の管理に係る演算を行ってもよい。例えば、電線内の抵抗値と長さを其々定義し、設備毎の電圧値の状況を把握するための演算（抵抗に基づく減衰計算）を行ってもよい。
【０１２６】
図15は、図14に示したフローの中で、ステップZ11の内容を詳細化したものである。図15では、配電自動化システムGW2021がステップ1105で得られた設備xxの下位層に位置する相互接続先情報に基づき、相互接続先の指定期間の電力値を取得する処理フローの一例を示したものである。本図においても、図12と同様の構成であり、その差分を中心に述べる。
【０１２７】
ステップ1502では、配電自動化システムGW2021が、相互接続先の指定日時
の電力値について、配電自動化システム202へ問い合わせを行う。また、ステップ1503では、配電自動化システムGW2021がメータ管理システム203へ指定日時の電力値について問い合わせを行う。
【０１２８】
本実施例では、所定の期間繰り返し、例えば定期的に、期間毎に当該設備の電力値を取得し、それを合算する形態の処理フローを示した。一方で、1つの問合せにおいて、ある期間を指定して当該設備の電力値を取得することも可能である。その際も、図14や図15に示した処理フローで、電力値を問合せることが可能である。
【０１２９】
なお、上述の通り、本実施例において、図2に示す各システムとそのGWが扱う単位期間の区切りと長さは等しく設定されており、また、公知の方法により時刻同期がなされているものとする。
【０１３０】
図16は、一定期間を指定した設備「SW001」の電力値問い合わせ要求の一例を示している。sw_tableは図7に示した区間開閉器電力値テーブル700を指している。その区間開閉器ID701が「SW001」であり、取得日時703が問合せの指定日時に該当する電力値702を応答する。しかし、本例ではSW001が未測定であるため、配電自動化システムGW2021はSW001の下位設備の接続関係を取得し、その下位設備の電力値を取得して、その合算値を応答する。
【０１３１】
図16に示したように、時間を区切った特定の期間ではなく、図14や図15では、ある日時を指定することも可能である。
【０１３２】
配電網では、停電や管理者の意図によって、送配電系統の構成が変わることがある。本実施例の適用により、過去に系統構成変化があっても、其々の設備の劣化に繋がる電力値の積算を、より正確に計ることが可能となる。
【０１３３】
また、配電網の設備のように、設置してから現在に至るまでの経過を踏まえた設備管理に対して、本実施例を適用することによって、指定日時を管理者の要望に応じて区切った（又は設置してから現在に至る全期間）の負荷値（電力値の積算値）という管理情報を基にした管理が可能となる。
【０１３４】
これにより、設備毎に詳細な管理が可能となり、またこれまでの定期的な設備交換から劣化判定に基づいた設備交換によるコスト低減や、配電網の組み方等による設備利用率（電力量）の調整によって、設備の有効活用計画立案に役立てることも可能である。
【０１３５】
上記実施例では記載しなかったが、GWが其々のシステムへアクセスして電力値等の情報を取得した際、その情報をGWが保持しておくことで、其々のシステム側で管理している情報が失われてしまった場合でも、保持した情報を基にアプリケーションの要求を返すことも考えられる。
【０１３６】
また、異なるシステム間では管理情報に対する指定日時の付与が其々のシステムに任され、システム間連携時に、指定日時の一致を取れない場合がある。このような場合に、アプリケーションの管理者が圧程度の許容範囲を決めておき、その範囲内の情報であればアプリケーションとして許容する仕組みが考えられる。
【０１３７】
現在、スマートメータの普及が進みつつある。このような状況では、スマートメータの検針値（電力値）を管理するメータ管理システムにおいて、全需要家の電力値を管理できない。そこでゲートウェイは、従来の人手による需要家の電力値が入力されたシステムとも連携した、需要家の電力値取得が必要になることも考えられる。実施例では、2つのシステムを対象とした問合せ（図12や図15に示したように配電自動化システムが管理しない情報であればメータ管理システムへ問合せ）を想定していたが、さらにその対象システムが増えることも考えられる。
【符号の説明】
【０１３８】
0:配電網、1:発電所、2:変電所、3:区間開閉器、4:柱上変圧器、5:スマートメータ、201:電力値管理システム、202:配電自動化システム、203:メータ管理システム、2011:GW、30配電系統設備位置情報テーブル、40メータ位置情報テーブル、500:区間開閉器情報テーブル、600:柱上変圧器情報テーブル、700:区間開閉器電力値テーブル、800:柱上変圧器電力値テーブル、900:スマートメータ電力値テーブル、1000:要求先情報テーブル。
【図１】
2017135902.tif 000003
【図２】
2017135902.tif 000004
【図３】
2017135902.tif 000005
【図４】
2017135902.tif 000006
【図５】
2017135902.tif 000007
【図６】
2017135902.tif 000008
【図７】
2017135902.tif 000009
【図８】
2017135902.tif 000010
【図９】
2017135902.tif 000011
【図１０】
2017135902.tif 000012
【図１１】
2017135902.tif 000013
【図１２】
2017135902.tif 000014
【図１３】
2017135902.tif 000015
【図１４】
2017135902.tif 000016
【図１５】
2017135902.tif 000017
【図１６】
2017135902.tif 000018
【図１７】
2017135902.tif 000019
【図１８】
2017135902.tif 000020
【図１９】
2017135902.tif 000021